(57)【要約】      （修正有）【課題】グループ分けを簡易かつ迅速に行うことができる組み分け具を提供する。【解決手段】屋内又は屋外において集団をグループ分けするために用いる組み分け具１０であって、平面略長方形薄板状の複数枚のカード１１により構成され、カードの表面部１２には、アルファベットからなる第一識別部１３ａと、数字からなる第二識別部１４ａとが設けられている。【選択図】図１
0003201029.tif 000002
【実用新案登録請求の範囲】
【請求項１】
屋内又は屋外において集団をグループ分けするために用いる組み分け具であって、平面略長方形薄板状の複数枚のカードにより構成され、前記カードの表面部には、アルファベットからなる第一識別部と、数字からなる第二識別部とが設けられていることを特徴とする組み分け具。
【請求項２】
前記第一識別部は４種類のアルファベットから構成され、前記第一識別部及び第二識別部は、前記第一識別部のアルファベットに夫々対応する４色の色が付されていることを特徴とする請求項１記載の組み分け具。
【請求項３】
前記カードの裏面部には、装飾部が形成されていることを特徴とする請求項１記載の組み分け具。
【請求項４】
合成樹脂製の平面略長方形薄板状の複数枚のカードにより構成される組み分け具を収納しうるケースであって、前記カードを一枚ずつ収納しうる収納部が前記複数枚のカードの枚数と同数個設けられていることを特徴とするケース。
【請求項５】
前記収納部には、前記カードを収納した場合に前記カードの幅方向両端部を保持しうる保持部が設けられていることを特徴とする請求項４に記載のケース。
【請求項６】
前記収納部には、前記カードを収納した場合に指を入れて前記カードを取り出しうる凹部が設けられていることを特徴とする請求項４に記載のケース。
【考案の詳細な説明】
【技術分野】
【０００１】
本考案は、主にスポーツを行う際のグループ分けに使用することができる組み分け具及び組み分け具のケースに関するものである。
【背景技術】
【０００２】
一般に、スポーツ活動においては、複数のチームに分かれて対戦することが多い。また、個人戦であっても、グループごとに総当たり戦を行う等、グループ分けをする機会は数多く存在する。
従来より、じゃんけんやあみだくじ等によるグループ分けが行われていたが、何人のグループを何グループ作るといった目的を達成するために、不必要な時間と労力がかかっていた。
【０００３】
また、トランプ等のカードを使用してグループ分けを行うことも可能ではあるが、トランプ等のカードはもともと室内ゲームとしての使用を前提としているものであり、組み分けをスムーズに行えるものではなかった。
特に、スポーツ活動は屋外で行うことも多く、トランプ等のカードを組み分けのために屋外で使用すると汚れたり、紛失したりする恐れがあった。
【０００４】
本件実用新案登録出願人はこのような観点から先行技術調査を行ったが、前記不具合を解消するような技術は発見できなかった。
【特許文献１】特開２０１０−２６０１１２号公報
【特許文献２】実開昭５４−４０７６号公報
【特許文献３】特開２００６−１８７３２９号公報
【特許文献４】特開２００７−１１７１８７号公報
【考案の開示】
【考案が解決しようとする課題】
【０００５】
本考案は、以上のような従来からの不具合を解消するためのものであって、その課題は、グループ分けを簡易かつ迅速に行うことができる組み分け具を提供することにある。
【課題を解決するための手段】
【０００６】
前記課題を解決するために、請求項１に記載の考案にあっては、屋内又は屋外において集団をグループ分けするために用いる組み分け具であって、平面略長方形薄板状の複数枚のカードにより構成され、前記カードの表面部には、アルファベットからなる第一識別部と、数字からなる第二識別部とが設けられていることを特徴とする。
【０００７】
従って、前記集団の一のメンバーが前記複数枚のカードから一のカードを選択した場合には、前記一のメンバーが前記一のカードの第一識別部及び第二識別部により規定されるグループに割り当てられる。
【０００８】
請求項２に記載の考案にあっては、前記第一識別部は４種類のアルファベットから構成され、前記第一識別部及び第二識別部は、前記第一識別部のアルファベットに夫々対応する４色の色が付されていることを特徴とする。
【０００９】
従って、前記集団の一のメンバーが前記複数枚のカードから一のカードを選択した場合には、前記第一識別部を構成するアルファベットによりグループを規定することによって、前記一のメンバーが前記一のカードのアルファベット及び前記アルファベットに対応する色により規定されるグループに割り当てられる。
【００１０】
請求項３に記載の考案にあっては、前記カードの裏面部には、装飾部が形成されていることを特徴とする。
【００１１】
従って、前記複数枚のカードの裏面部に装飾部が形成される。
【００１２】
請求項４に記載の考案にあっては、合成樹脂製の平面略長方形薄板状の複数枚のカードにより構成される組み分け具を収納しうるケースであって、前記カードを一枚ずつ収納しうる収納部が前記複数枚のカードの枚数と同数個設けられていることを特徴とする。
【００１３】
従って、前記複数枚のカードは、前記収納部に一枚ずつ収納される。
【００１４】
請求項５に記載の考案にあっては、前記収納部には、前記カードを収納した場合に前記カードの幅方向両端部を保持しうる保持部が設けられていることを特徴とする。
【００１５】
従って、前記収納部に前記カードを収納した場合には、前記保持部によって前記カードの幅方向両端部が保持される。
【００１６】
請求項６に記載の考案にあっては、前記収納部には、前記カードを収納した場合に指を入れて前記カードを取り出しうる凹部が設けられていることを特徴とする。
【考案の効果】
【００１７】
請求項１に記載の組み分け具にあっては、前記集団の一のメンバーが前記複数枚のカードから一のカードを選択した場合には、前記一のメンバーが前記一のカードの第一識別部及び第二識別部により規定されるグループに割り当てられるので、前記複数枚のカードから一のカードを選択するという作業のみで、前記集団の各々のメンバーが、自分がどのグループに割り当てられたかを認識することができる。その結果、速やかにグループ分けを行うことができる。
【００１８】
請求項２に記載の組み分け具にあっては、前記集団の一のメンバーが前記複数枚のカードから一のカードを選択した場合には、前記第一識別部を構成するアルファベットによりグループを規定することによって、前記一のメンバーが前記一のカードのアルファベット及び前記アルファベットに対応する色により規定されるグループに割り当てられるので、前記一のメンバーが前記第一識別部及び第二識別部に付された色を認識することによって、自分がどのグループに割り当てられたかを視覚的、直感的に理解することができる。
【００１９】
請求項３に記載の組み分け具にあっては、前記複数枚のカードの裏面部に装飾部が形成されるので、前記複数枚のカードの裏面部を統一の模様で構成することができ、装飾品としての意匠性により、需要者への訴求効果や広告宣伝効果を奏することができる。
【００２０】
請求項４に記載のケースにあっては、前記複数枚のカードは、前記収納部に一枚ずつ収納されるので、前記カードの表面部が見うる状態で前記複数のカードを収納した場合には、前記複数枚のカードを一覧できる状態で収納することができる。その結果、グループ分けに必要なカードを素早く選んで、前記収納部から取り出すことができる。
また、従来のようにトランプ等のカードを使用してグループ分けをする場合には、前記複数枚のカードを収納する場合において、カードの枚数を数えたり、紛失しているカードがないかどうかを確認したりする必要があったのに対して、請求項４に記載のケースにあっては、前記複数枚のカードを前記収納部に収納しながら、前記カードの紛失確認を行うことができるので、前記のような煩雑な事態を解消することができる。
【００２１】
請求項５に記載のケースにあっては、前記収納部に前記カードを収納した場合には、前記保持部によって前記カードの幅方向両端部が保持されるので、前記カードを一枚一枚確実に収納することができる。その結果、請求項５に記載のケースを搬送する際に、前記収納部に収納された前記カードを紛失するといった事態を防止することができる。
【００２２】
請求項６に記載のケースにあっては、前記凹部に指を入れた場合には、前記カードを前記収納部から容易に取り出すことができる。その結果、グループ分けに必要なカードを素早く用意することができる。
【図面の簡単な説明】
【００２３】
【図１】図１は、本考案に係る組み分け具及びケースの第一の実施の形態において、組み分け具を構成するカードの一部がケースに収納された状態を示す正面図である。
【図２】図２は、本考案に係る組み分け具の一実施の形態において、組み分けに必要なカードを取り出した状態を示す斜視図である。
【図３】図３は、本考案に係る組み分け具の一実施の形態において、組み分けに必要なカードから１枚を選択した状態を示す斜視図である。
【図４】図４は、本考案に係るケースの第一の実施の形態において、ケースの一部を示す正面図である。
【図５】図５は、本考案に係るケースの第二の実施の形態において、ケースの一部を示す正面図である。
【図６】図６は、本考案に係るケースの第一の実施の形態において、折り畳む途中の状態を示す斜視図である。
【図７】図７は、本考案に係る組み分け具の一実施の形態において、選手の動き等のシミュレーションに使用する態様を示す斜視図である。
【考案を実施するための最良の形態】
【００２４】
以下、添付図面に示す実施の形態に基づき、本考案を詳細に説明する。
図１〜図３に示すように、本考案の一実施の形態に係る組み分け具１０は、屋内又は屋外において集団をグループ分けするために用いる組み分け具として、合成樹脂製の平面略長方形薄板状の６４枚のカード１１、１１・・・により構成されている。
図１〜図３に示すように、本実施の形態に係る６４枚のカードのうち、６０枚のカード１１、１１・・・の表面部１２、１２・・・には、Ａ〜Ｄのアルファベットからなる第一識別部１３ａ、１３ｂ・・・と、１〜１５の数字からなる第二識別部１４ａ、１４ｂ・・・とが、カード１１、１１・・・の長さ方向に沿って並設されている。
図１に示すように、本実施の形態に係る６４枚のカードのうち、その他の４枚のカード１１ｂの表面部１２には、ボールを模した装飾部１７が設けられている。
【００２５】
図示しないが、第一識別部１３ａ、１３ｂ・・・及び第二識別部１４ａ、１４ｂ・・・は、第一識別部１３ａ、１３ｂ・・・を構成するＡ〜Ｄのアルファベットに夫々対応する４色の色が付されている。
また、図示しないが、その他の４枚のカード１１ｂの表面部１２に設けられた装飾部１７は、夫々、４色の色が付されている。
また、図３に示すように、本実施の形態に係る６４枚のカード１１、１１・・・の裏面部１５、１５・・・には、共通のデザインからなる装飾部１６、１６・・・が形成されている。
【００２６】
本考案の第一の実施の形態に係るケース２０は、図６に示すように、折り畳み可能な４つのケース片２０ａ、２０ａ・・・から構成され、合成樹脂製の平面略長方形薄板状の６４枚のカード１１、１１・・・により構成される組み分け具１０を収納しうるケースとして構成されている。
図１及び図４に示すように、一のケース片２０ａには、同一の第一識別部（アルファベット）１３ａを有する１５枚のカード１１、１１・・・と、アルファベット１３ａと同一の色を付した装飾部１７を有するその他のカード１１ｂとを、縦４行、横４列の行列状に収納しうる収納部２１、２１・・・が、ケース片２０ａの厚さ方向に凹設されている。
【００２７】
また、図４に示すように、本考案の第一の実施の形態に係る収納部２１、２１・・・には、カード１１、１１・・・をケース片２０ａの厚さ方向に収納した場合にカード１１、１１・・・の幅方向両端部を保持しうる保持部２２、２２が設けられている。
図１及び図４に示すように、本考案の第一の実施の形態に係る収納部２１、２１・・・には、カード１１、１１・・・を収納した場合に指を入れてカード１１、１１・・・を取り出しうる凹部２３、２３・・・が設けられている。
【００２８】
以上の構成を有する第一の実施の形態に係るケース２０に対して、図５に示す第二の実施の形態に係るケース３０は、合成樹脂製の平面略長方形薄板状の６４枚のカード１１、１１・・・により構成される組み分け具１０を収納しうるケースとして構成され、同一の第一識別部（アルファベット）１３ａを有する１５枚のカード１１、１１・・・と、アルファベット１３ａと同一の色を付した装飾部１７を有するその他のカード１１ｂとを一枚ずつ収納しうる収納部３３、３３・・・が設けられている点が、第一の実施の形態に係るケース２０との共通点である。
【００２９】
一方で、第二の実施の形態に係るケース３０は、図示しないが、薄板状の４つのケース片３０ａ、３０ａ・・・から構成され、図５に示すように、一のケース片３０ａには、４枚の透明な合成樹脂製のシート３１、３１・・・が所定間隔離間して配置され、シート３１、３１・・・の周縁部３２、３２・・・が溶着されることによって、シート３１、３１・・・とケース片３０ａとの間にカード１１、１１・・・を収納しうる収納部３３、３３・・・が、縦４行、横４列の行列状に形成されている。
また、図５に示すように、本実施の形態に係るシート３１、３１・・・には、孔部３４、３４・・・が形成され、以上の点が、第一の実施の形態に係るケース２０との相違点である。
【００３０】
以下、本実施の形態に係る組み分け具１０及びケース２０、３０の作用について、添付図面を用いて説明する。
ここでは、６人の集団を２人ずつ３つのグループに分ける場合を例に説明する。まず、図２に示すように、本実施の形態に係るケース２０から、第一識別部１３としてアルファベットＡ〜Ｃ、第二識別部１４として数字１〜２が夫々付されたカード６枚を取り出す。
【００３１】
この際、本実施の形態に係るケース２０にあっては、カード１１、１１・・・は、表面部１２、１２・・・が見うる状態で、収納部２１、２１・・・に一枚ずつ収納されているので、グループ分けに必要なカードを素早く選んで、収納部２１、２１・・・から取り出すことができる。
【００３２】
またこの際、図１及び図４に示すように、本実施の形態に係るケース２０にあっては、凹部２３に指を入れた場合には、カード１１を収納部２１から容易に取り出すことができる。その結果、グループ分けに必要なカードを素早く用意することができる。
【００３３】
続いて、カード６枚を取り出した後は、カード１１、１１・・・の裏面部１５が見うる状態で並べ、６人のうちの１人が６枚のカード１１、１１・・・から１枚のカード１１を選択し、図３に示すように、選択したカード１１の表面部１２を見うる状態にする。
この際、本実施の形態に係る組み分け具１０にあっては、その１人が選択したカード１１の第一識別部１３のアルファベットにより規定されるグループに割り当てられるので、６枚のカード１１、１１・・・から１枚のカード１１を選択するという作業のみで、カードの選択者がどのグループに割り当てられたかを認識することができる。その結果、速やかにグループ分けを行うことができる。
【００３４】
特に、本実施の形態に係る組み分け具１０にあっては、６人のうちの１人が６枚のカード１１、１１・・・から１枚のカード１１を選択した場合には、第一識別部１３を構成するアルファベットに対応する色を認識することによって、カードの選択者がどのグループに割り当てられたかを視覚的、直感的に理解することができる。
図３に示す例においては、カードの選択者はアルファベットのＣ及び数字の１に付された色を認識することによって、グループＣの１人目に割り当てられたことを視覚的、直感的に理解することができる。
【００３５】
また、図３に示すように、本実施の形態に係る組み分け具１０にあっては、カード１１、１１・・・の裏面部１５、１５・・・に装飾部１６が形成されているので、カード１１、１１・・・の裏面部１５、１５・・・を統一の模様で構成することができ、装飾品としての意匠性により、需要者への訴求効果や広告宣伝効果を奏することができる。
【００３６】
また、本実施の形態に係る組み分け具１０にあっては、Ａ〜Ｄのアルファベットからなる第一識別部１３ａ、１３ｂ・・・と、１〜１５の数字からなる第二識別部１４ａ、１４ｂ・・・とが、カード１１、１１・・・の長さ方向に沿って並設されているので、図７に示すように、前記のように夫々のグループに割り当てられたカードの選択者が、例えばサッカーの試合においてどのようなフォーメーションを形成するか、どのようなシステムに基づいて動くかをシミュレーションすることができる。
図７に示す例においては、ボールを模した装飾部１７を有するその他のカード１１ｂを中心に、グループＡの１人目及び２人目、グループＢの１人目及び２人目に割り当てられたカードの選択者がどのように動くべきかのシミュレーションを行なうことができる。
【００３７】
また、本実施の形態に係る組み分け具１０にあっては、前記のようにグループ分け等に使用した後は、図１に示すように、ケース２０に設けられた収納部２１、２１・・・にカード１１、１１・・・を１枚ずつ収納する。
この際、従来のようにトランプ等のカードを使用してグループ分けをする場合には、前記複数枚のカードを収納する場合において、カードの枚数を数えたり、紛失しているカードがないかどうかを確認したりする必要があったのに対して、本実施の形態に係るケース２０にあっては、カード１１、１１・・・を収納部２１、２１・・・に収納しながら、カード１１、１１・・・の紛失確認を行うことができるので、前記のような煩雑な事態を解消することができる。
【００３８】
また、図１及び図４に示すように、本実施の形態に係るケース２０にあっては、収納部２１にカード１１を収納した場合には、保持部２２、２２によってカード１１の幅方向両端部が保持されるので、カード１１、１１・・・を一枚一枚確実に収納することができる。その結果、本実施の形態に係るケース２０を搬送する際に、収納部２１、２１・・・に収納されたカード１１、１１・・・を紛失するといった事態を防止することができる。
【００３９】
一方で、第二の実施の形態に係るケース３０は、図５に示すように、一のケース片３０ａには、４枚の透明な合成樹脂製のシート３１、３１・・・が所定間隔離間して配置され、シート３１、３１・・・の周縁部３２、３２・・・が溶着されることによって、シート３１、３１・・・とケース片３０ａとの間にカード１１、１１・・・を収納しうる収納部３３、３３・・・が形成されているので、収納部３３にカード１１を収納した場合には、シート３１、３１・・・によってカード１１の長さ方向一端部が保持される。
従って、カード１１、１１・・・を一枚一枚確実に収納することができ、本実施の形態に係るケース２０と同様に、カード１１、１１・・・を収納部３３、３３・・・に収納しながら、カード１１、１１・・・の紛失確認を行うことができると共に、ケース３０を搬送する際に、収納部３３、３３・・・に収納されたカード１１、１１・・・を紛失するといった事態を防止することができる。
【００４０】
また、例えば、カード１１、１１・・・を屋外で使用した後にそのままケース３０に収納することによって、収納部３３、３３・・・が泥や埃等で汚れてしまった場合において、図５に示すように、本実施の形態に係るケース３０にあっては、水をかけることによりその水が泥や埃等と共に孔部３４、３４・・・を介して排水されるので、収納部３３、３３・・・を容易に洗浄することができる。
【００４１】
本実施の形態に係る組み分け具１０にあっては、合成樹脂製の平面略長方形薄板状のカード１１、１１・・・により構成され、カード１１、１１・・・の表面部１２、１２・・・には、Ａ〜Ｄのアルファベットからなる第一識別部１３ａ、１３ｂ・・・と、１〜１５の数字からなる第二識別部１４ａ、１４ｂ・・・とが、カード１１、１１・・・の長さ方向に沿って並設されている場合を例に説明したが、前記構成に限定されず、任意のアルファベットからなる第一識別部と、任意の数字からなる第二識別部とが設けられていればよい。
【００４２】
本実施の形態に係るケース２０にあっては、折り畳み可能な４つのケース片２０ａ、２０ａ・・・から構成されている場合を例に説明したが、前記構成に限定されない。
また、  本実施の形態に係るケース３０にあっては、薄板状の４つのケース片３０ａ、３０ａ・・・から構成されている場合を例に説明したが、前記構成に限定されない。
【産業上の利用可能性】
【００４３】
本考案は、スポーツを行う際のグループ分けに使用することができる組み分け具及び組み分け具のケースに広く適用可能であり、産業上利用可能性を有している。
【符号の説明】
【００４４】
１０：組み分け具
１１、１１ｂ：カード
１２：表面部
１３、１３ａ：第一識別部（アルファベット）
１４、１４ａ：第二識別部（数字）
１５：裏面部
１６：装飾部
１７：装飾部
２０、３０：ケース
２０ａ、３０ａ：ケース片
２１、３３：収納部
２２：保持部
２３：凹部
３１：シート
３２：周縁部
３４：孔部
【図１】
0003201029.tif 000003
【図２】
0003201029.tif 000004
【図３】
0003201029.tif 000005
【図４】
0003201029.tif 000006
【図５】
0003201029.tif 000007
【図６】
0003201029.tif 000008
【図７】
0003201029.tif 000009
【手続補正書】
【提出日】平成27年9月8日(2015.9.8)
【手続補正１】
【補正対象書類名】実用新案登録請求の範囲
【補正対象項目名】請求項４
【補正方法】変更
【補正の内容】
【請求項４】
請求項１記載の組み分け具を収納しうるケースであって、前記カードを一枚ずつ収納しうる収納部が前記複数枚のカードの枚数と同数個設けられていることを特徴とするケース。
【手続補正２】
【補正対象書類名】明細書
【補正対象項目名】００１２
【補正方法】変更
【補正の内容】
【００１２】
請求項４に記載の考案にあっては、請求項１記載の組み分け具を収納しうるケースであって、前記カードを一枚ずつ収納しうる収納部が前記複数枚のカードの枚数と同数個設けられていることを特徴とする。